(57)【要約】【課題】編集を行った画像を出力する場合に、ユーザの思っているイメージ通りになっているかを確認する。【解決手段】ＣＰＵ１１は、画像記憶部１４に記憶された第１の画像データの指定及び第２の画像データの指定を受付けると、指定された第１の画像データ及び指定された第２の画像データを第３の画像データに編集し、編集された第３の画像データをコントロールパネル２３に表示し、表示された画像の出力をする。【選択図】図２
2007037095.tif 000002
【特許請求の範囲】
【請求項１】
少なくとも第１の画像データ及び第２の画像データを記憶する画像記憶部と、
前記第１の画像データを指定する第１の画像指定部と、
前記第２の画像データを指定する第２の画像指定部と、
前記第１の画像指定部により指定された第１の画像データ及び前記第２の画像指定部により指定された第２の画像データを第３の画像データに編集する編集部と、
前記編集された第３の画像データを表示する表示制御部と、
前記表示制御部で表示された画像の出力を行う画像出力部とを具備することを特徴とする画像形成装置。
【請求項２】
操作部と、
表示部とをさらに具備し、
前記第１の画像指定部の画像の指定及び前記第２の画像指定部の画像の指定は前記操作部からそれぞれ受付け、前記表示制御部は前記表示部に前記編集された第３の画像データを表示することを特徴とする請求項１記載の画像形成装置。
【請求項３】
表示部及び操作部を有するコンピュータとネットワークを介して接続するインタフェースをさらに具備し、
前記第１の画像指定部の画像の指定及び前記第２の画像指定部の画像の指定は前記操作部からそれぞれ受付け、前記表示制御部は前記表示部に前記編集された第３の画像データを表示することを特徴とする請求項１記載の画像形成装置。
【請求項４】
前記編集部の前記第１の画像データと前記第２の画像データの編集は、画像の合成であることを特徴とする請求項１記載の画像形成装置。
【請求項５】
前記編集部の前記第１の画像データと前記第２の画像データの編集は、一方の画像データの他方の画像データへの上書きであることを特徴とする請求項１記載の画像形成装置。
【請求項６】
前記編集部の前記第１の画像データと前記第２の画像データの編集は、一方の画像データの一部を取り出し、その取り出した画像データを他の画像データへの合成するものであることを特徴とする請求項１記載の画像形成装置。
【請求項７】
操作部をさらに具備し、
前記画像データから取り出す画像データの一部は、前記操作部の操作により任意の位置の画像データを取り出すことを特徴とする請求項６記載の画像形成装置。
【請求項８】
前記取り出した画像データを他の画像データへの合成する位置は、前記操作部の操作による任意の位置であることを特徴とする請求項７記載の画像形成装置。
【請求項９】
前記編集部の前記第１の画像データと前記第２の画像データの編集は、一方の画像データの一部を取り出し、その取り出した画像データを他の画像データへ上書きするものであることを特徴とする請求項１記載の画像形成装置。
【請求項１０】
操作部をさらに具備し、
前記画像データから取り出す画像データの一部は、前記操作部の操作により任意の位置の画像データを取り出すことを特徴とする請求項９記載の画像形成装置。
【請求項１１】
前記取り出した画像データを他の画像データへの上書きする位置は、前記操作部の操作による任意の位置であることを特徴とする請求項１０記載の画像形成装置。
【請求項１２】
画像データを印刷する印刷部をさらに具備し、
前記画像出力部の画像の出力は、前記印刷部による画像データの印刷であることを特徴とする請求項１記載の画像形成装置。
【請求項１３】
ファクシミリ送信をするファクシミリ送信部をさらに具備し、
前記画像出力部の画像の出力は、前記ファクシミリ送信部によるファクシミリ送信であることを特徴とする請求項１記載の画像形成装置。
【請求項１４】
インターネットファクシミリ送信をするインターネットファクシミリ送信部をさらに具備し、
前記画像出力部の画像の出力は、前記インターネットファクシミリ送信部によるインターネットファクシミリ送信であることを特徴とする請求項１記載の画像形成装置。
【請求項１５】
電子メール送信をする電子メール送信部をさらに具備し、
前記画像出力部の画像の出力は、前記電子メール送信部による電子メール送信であることを特徴とする請求項１記載の画像形成装置。
【請求項１６】
画像形成装置の画像データの編集方法は、
画像記憶部に記憶された第１の画像データを指定するステップと、
前記画像記憶部に記憶された第２の画像データを指定するステップと、
前記指定された第１の画像データ及び前記指定された第２の画像データを第３の画像データに編集するステップと、
前記編集された第３の画像データを表示するステップと、
前記表示された画像の出力を行うステップとを具備することを特徴とする画像形成装置の画像データの編集方法。
【発明の詳細な説明】
【技術分野】
【０００１】
本発明は、画像データを蓄積できるメモリーを搭載している画像形成装置及び画像形成装置の画像データ編集方法に関する。
【背景技術】
【０００２】
ネットワークに接続することができ、そのネットワークを介してＥメール送信やネットワークプリントを行うことができる機能、ネットワークに接続されたコンピュータのブラウザからメモリーに蓄積された画像データの編集を行う機能などの機能を有するマルチ・ファンクション・ペリフェラル（ＭＦＰ）が知られている。このＭＦＰからユーザが画像を出力させる場合に、ＭＦＰに蓄積されている他の画像をページ単位で付加したり、挿入したりすることはできた。
【０００３】
また、入力された画像をレイアウトして印刷する印刷装置において、画像を印刷する印刷部と、画像に対するレイアウト内容の記入された編集シートを読み込む編集シート入力部と、編集シートの内容に従って画像をレイアウトし、印刷部に印刷させる制御部とを備えたものが知られている（例えば、特許文献１参照）。
【特許文献１】特開２００２−２１８２０５号公報
【発明の開示】
【発明が解決しようとする課題】
【０００４】
しかしながら、画像の合成や上書きなどの画像の編集を行う場合は、そのページ全体で行うしかなかった。このような画像の編集をユーザが行う場合は、ＭＦＰに蓄積されている画像を確認した後、レイアウトなどの元画像のデータ位置などを調整してから出力していた。このため編集された画像が、ユーザが期待している出力イメージになっているかどうかが出力を実際に行ってみないとわからなかった。
【０００５】
本発明は上記事情に鑑みてなされたものであって、その目的は、編集を行った画像を出力する場合に、ユーザの思っているイメージ通りになっているかを容易に確認することができる画像形成装置及び画像形成装置の画像データ編集方法を提供することにある。
【課題を解決するための手段】
【０００６】
本発明は、少なくとも第１の画像データ及び第２の画像データを記憶する画像記憶部と、第１の画像データを指定する第１の画像指定部と、第２の画像データを指定する第２の画像指定部と、第１の画像指定部により指定された第１の画像データ及び第２の画像指定部により指定された第２の画像データを第３の画像データに編集する編集部と、編集された第３の画像データを表示する表示制御部と、表示制御部で表示された画像の出力を行う画像出力部とを具備する画像形成装置である。
【発明の効果】
【０００７】
本発明によると、編集を行った画像を出力する場合に、ユーザの思っているイメージ通りになっているかを容易に確認することができる画像形成装置及び画像形成装置の画像データ編集方法を提供できる。
【発明を実施するための最良の形態】
【０００８】
以下、本発明の一実施の形態について図面を参照して説明する。  
図１は、マルチ・ファンクション・ペリフェラル（ＭＦＰ）１が接続されるネットワーク構成を概略的に示す図である。ＭＦＰ１は、ファクシミリ機能、インターネットファクシミリ機能、プリンタ機能、コピー機能、スキャナ機能、ネットワーク機能等を備えている。図１に示すように、ＭＦＰ１はネットワーク２を介してＰＣ３，ＭＦＰ４と接続されている。ＰＣ３は、操作部３ａ、表示部３ｂを有している。ユーザはこの操作部３ａを操作して、ＰＣ３の有するブラウザ機能により、ＭＦＰ１の各種設定等を表示部３ｂに表示させることができる。また、ユーザは、操作部３ａを操作することにより、表示部３ｂに表示された各種設定等の表示に基づいて、ＭＦＰ１に対して設定の変更やネットワークプリント等の各種指示を行えるようになっている。なお、ネットワーク２は、例えばインターネットである。この実施の形態では、ＭＦＰ１が接続されたネットワーク２に接続されるＰＣ３，ＭＦＰ４はそれぞれ１台の場合で説明する。しかしながら、ＰＣ３，ＭＦＰ４の数はこれに限られるものではない。
【０００９】
ＭＦＰ１は公衆電話回線（ＰＳＴＮ）加入者回線５を介してＰＳＴＮ６と接続されている。ＰＳＴＮ６には、ファックス７，ファックス８が接続されている。なお、ＰＳＴＮ６に接続されるファックスはファックス７、ファックス８の２つの場合で説明する。しかしながら、ファックスの数はこれに限られるものではない。
【００１０】
図２は、ＭＦＰ１の要部構成を示すブロック図である。ＭＦＰ１は、ＣＰＵ１１、ＲＯＭ１２、ＲＡＭ１３、画像記憶部１４、画像圧縮伸張部１５、スキャナ１６、プリンタ１７、モデム１８、ＮＣＵ１９、電話機制御部２０、回線信号検出部２１、ネットワークインタフェース２２及びコントロールパネル２３を有してなる。
【００１１】
ＣＰＵ１１、ＲＯＭ１２、ＲＡＭ１３、画像記憶部１４、画像圧縮伸張部１５、スキャナ１６、プリンタ１７、モデム１８、ＮＣＵ１９、回線信号検出部２１、ネットワークインタフェース２２、コントロールパネル２３はバスライン２４を介して互いに接続されている。またＮＣＵ１９にはモデム１８および電話機制御部２０が接続されている。さらに電話機制御部２０には回線信号検出部２１が接続されている。
【００１２】
ＣＰＵ１１は、ＲＯＭ１２に格納された制御プログラムに基づいて各部を総括制御するための制御処理を行うことでＭＦＰ１としての動作を実現する。ＲＯＭ１２は、ＣＰＵ１１の実行する制御プログラム等を記憶する。ＲＡＭ１３は、ＣＰＵ１１が各種の処理を行うために必要となる各種の情報を記憶するためのワークエリアなどとして使用される。
【００１３】
画像記憶部１４は、例えば、ハードディスク駆動装置（ＨＤＤ）である。画像記憶部１４は、画像データを記憶する際には、画像データと関連付けてサムネイルデータも記憶する。図３及び図４は、画像記憶部１４に記憶される画像データの具体例を説明するための概念図である。図３は、スキャナ１６により複数ページ（３ページ）の原稿から画像を読取り、その読取った画像から生成した画像データＤ１を示す図である。図３に示すように、画像データＤ１は、各ページの画像データＤ１１，Ｄ１２，Ｄ１３と、各画像データＤ１１，Ｄ１２，Ｄ１３と対応したサムネイルデータＳ１１，Ｓ１２，Ｓ１３で構成されている。図４は、スキャナ１６により１枚の原稿から画像を読取り、その読取った画像から生成した画像データＤ２を示す図である。図４に示すように、画像データＤ２は、画像データＤ２１と、画像データＤ２１と対応したサムネイルデータＳ２１で構成されている。これらの画像データは画像記憶部１４内でそれぞれ異なる領域に記憶される。
【００１４】
なお画像データが画像記憶部１４に記憶される場合は、上述のようにスキャナ１６により読取った画像に基づいて画像データが生成される場合に限られない。例えば、次のような場合も画像データが画像記憶部１４に記憶される。ＭＦＰ１がファックス７，８とファクシミリ送受信を行う場合は、そのファクシミリ送信、又は受信される画像データが画像記憶部１４に記憶される。ＭＦＰ１がインターネットファクシミリ送受信を例えばＭＦＰ４と行う場合は、そのインターネットファクシミリ送信又は受信される画像データが画像記憶部１４に記憶される。さらに、ＭＦＰ１がＰＣ３と電子メール送信又は受信する際には、その電子メールに添付される画像データが画像記憶部１４に記憶される。このように画像記憶部１４に画像データが記憶されるときも、各ページの画像データに対応してサムネイルデータ作成される。その作成されたサムネイルデータは、前記画像データと関連付けて画像記憶部１４に記憶される。
【００１５】
画像圧縮伸張部１５は、画像データに対して冗長度圧縮のための符号化処理を施すとともに、冗長度圧縮のための符号化がなされている画像データの復号を行うものである。スキャナ１６は、原稿台に載置された原稿、又は図示しない自動給紙装置から給紙される原稿から画像の読取りを行って、その原稿の画像を示す画像データを生成する。プリンタ１７は、画像データが示す画像を記録用紙に対して印字する。
【００１６】
モデム１８は、画像データを変調してファクシミリ伝送信号を生成したり、ＣＰＵ１１から与えられるコマンドを変調してコマンド伝送信号を生成するものである。モデム１８はこれらの伝送信号をＮＣＵ１９を介してＰＳＴＮ加入者線５へと送出する。またモデム１８は、ＰＳＴＮ加入者線５を介して到来し、ＮＣＵ１９を介して与えられたファクシミリ伝送信号を復調して画像データを再生したり、コマンド伝送信号を復調してコマンドを再生する。ＮＣＵ１９には、ＰＳＴＮ６に収容されたＰＳＴＮ加入者線５が接続されている。そしてＮＣＵ１９は、この接続されたＰＳＴＮ加入者線５に関して、状態監視や網への発信処理などを行なう。またＮＣＵ１９は、ＰＳＴＮ加入者線５に対して送出するファクシミリ伝送信号のレベルの設定等を行う。電話機制御部２０には、必要に応じて外部電話機が接続される。回線信号検出部２１は、ＰＳＴＮ加入者線５を介して到来する信号をＮＣＵ１９および電話機制御部２０を介して受け、所定の信号の到来を検出する。
【００１７】
ネットワークインタフェース２２は、ネットワーク２との接続に使用される。このネットワークインタフェース２２は、ネットワーク２を介して、データ伝送を行う。コントロールパネル２３は、大型のタッチパネル式ディスプレイであり、タッチパネル２３ａ及び表示部２３ｂを有する。タッチパネル２３ａはユーザによるＣＰＵ１１に対する各種の指示入力を受け付けるために各種ボタンを有する。そのボタンは、例えば動作の開始を指示するためのスタートボタンである。表示部２３ｂは、ユーザに対して報知すべき各種の情報をＣＰＵ１１の制御の下に表示する。
【００１８】
次に、ユーザがタッチパネル２３ａを操作することにより、画像記憶部１４に記憶された画像データを編集して、その編集した画像データを出力する場合について説明する。なお、画像データの出力とは、プリンタ１７で印刷する場合、ファクシミリ送信する場合、インターネットファクシミリ送信する場合、電子メールに画像データを添付して送信する場合などである。
【００１９】
画像の編集としては、画像記憶部１４に記憶されている画像をページとして追加する場合、画像をページに挿入する場合、画像の一部を取り出す場合、画像を合成する場合、画像を上書きする場合などがある。
【００２０】
ページを追加するとは、ユーザが出力しようとする画像記憶部１４に記憶されている画像に対して、画像記憶部１４に記憶されている他の画像を最終ページに付加することをいう。このとき出力画像の全体のページ数は追加した画像に応じて増加する。ページを挿入するとは、ユーザが出力しようとする画像記憶部１４に記憶されている画像に対して、画像記憶部１４に記憶されている他の画像を任意のページ個所に挿入することをいう。このときも出力画像の全体のページ数は追加した画像に応じて増加する。画像の一部取り出しとは、画像記憶部１４に記憶されている画像のページ上の任意の個所を部分的に取り出して、この取り出した画像を付加又は挿入ページとして取り扱うことをいう。画像の合成は、画像のページ全体を重ね合わせたり、又は一部取り出しにより取り出した画像を重ね合わせることをいう。画像を重ね合わせる方法としては、例えば一方の画像に他方の画像を上書きする方法がある。このように上書きをすると、上書きされたページや個所は見えなくなる。更に、画像記憶部１４に記憶された画像の濃度調整や回転、白黒反転といったコピーやプリントの基本編集機能を設定することもできる。
【００２１】
なお、この実施の形態では、ユーザがタッチパネル２３ａを操作して画像の編集を行う場合で説明する。しかしながら、ユーザがＰＣ３の前記ブラウザ機能を利用することにより、ＰＣ３の操作部３ａを操作して画像の編集を行うことも可能である。
【００２２】
次に、ユーザが画像の編集を行うときにＣＰＵ１１が実行する画像編集処理について説明する。図５及び図６は、画像編集処理の要部を示すフローチャートである。なお、図５は画像編集処理の要部の前半を示している。図６は画像編集処理の要部の後半を示している。
【００２３】
ＣＰＵ１１は、コントロールパネル２３の表示部２３ｂに待機状態を示す表示中に、すなわち、待機状態画面において、ユーザから動作モード決定の指示を受け付ける（ＳＴ１０１）。動作モードとは、ここではコピー動作、ファクシミリ送信、インターネットファクシミリ送信、電子メール送信のいずれの動作である。これらのうちいずれの動作を行うかをユーザから受け付ける。例えば、タッチパネル２３ａに表示された待機状態画面では、コピー、ファクシミリ送信、インターネットファクシミリ送信、電子メール送信を示すボタンが表示される。そして、ユーザによりいずれのボタンが入力されたかに基づいて動作モードが決定される。
【００２４】
続いて、ＣＰＵ１１は、決定された動作モードにおける設定を受け付ける（ＳＴ１０２）。例えば、決定された動作モードがコピーであれば、部数の設定などの設定を受け付ける。
【００２５】
このように決定された動作モードで動作するのに必要な設定を受け付けると、ＣＰＵ１１は、スタートボタンの入力を受け付ける（ＳＴ１０３）。スタートボタンの入力を受け付けると、ＣＰＵ１１は、例えば原稿台に載置された原稿又は自動給紙装置にセットされた原稿の画像をスキャナ１６で読取る処理を開始し、原稿の画像読取りが完了したか否かを判断する（ＳＴ１０４）。ＣＰＵ１１は原稿の読取りが完了したと判断するまで（ＳＴ１０４でＮＯ）原稿の画像読取りを行う。
【００２６】
ＣＰＵ１１は原稿の読取りが完了したと判断すると（ＳＴ１０４でＹＥＳ）、ＣＰＵ１１は次の原稿はあるか否かを判断する（ＳＴ１０５）。例えば、タッチパネル２３ａに次の原稿はあるか否かを示すメッセージが表示され、そのメッセージに対するユーザの回答に基づいて判断される。ＣＰＵ１１は次の原稿があると判断すると（ＳＴ１０５でＹＥＳ）、ステップＳＴ１０３へ戻り、スキャナ１６で次の原稿の画像を読取る。このようにして、ユーザが所望する原稿の画像の読取りが行われる。この読取られた原稿の画像は、画像データとして画像記憶部１４にサムネイルデータと関連付けて記憶される。
【００２７】
このステップＳＴ１０１からＳＴ１０５により第１の画像データの指定がなされる。なお、この実施の形態では、スキャナ１６で読取った画像を第１の画像データとする場合で説明する。しかしながら、画像記憶部１４に予め記憶されている画像データをタッチパネル２３ａを用いて指定するようにしても良い。
【００２８】
一方、ＣＰＵ１１は次の原稿がないと判断すると（ＳＴ１０５でＹＥＳ）、画像の編集はあるか否かを判断する（ＳＴ１０６）。例えば、タッチパネル２３ａに編集はあるか否かを示すためのメッセージが表示され、そのメッセージに対するユーザの回答に基づいて判断される。
【００２９】
ＣＰＵ１１は画像の編集があると判断すると（ＳＴ１０６でＹＥＳ）、ＣＰＵ１１は編集画像の指定、すなわち、画像記憶部１４に記憶されている画像データの指定を受け付ける（ＳＴ１０７）。この編集画像の指定を受け付けることにより、第２の画像データの指定がなされる。続いて、ＣＰＵ１１は、画像の編集方法の選択を受け付ける（ＳＴ１０８）。編集方法の選択は、上述したように、合成、上書き、一部取り出し、回転、白黒反転、濃度調整などが選択される。この選択は、タッチパネル２３ａに表示した当該編集を示すボタンが入力されることにより決定される。
【００３０】
このように画像の編集方法が選択されると、ＣＰＵ１１は、その選択に基づいて画像の編集処理を行う（ＳＴ１０９）。この画像の編集処理について、図７から図１３を参照して後述する。そして、このように編集処理された後の画像データに基づいて、表示部２３ｂへの表示を行う（ＳＴ１１０）。なお、編集処理を行う際及びその編集された画像データを表示する際には、画像記憶部１４に記憶されるときに画像データに関連付けて作成されるサムネイルデータを用いて表示部２３ｂに表示するようにしても良いし、画像データそのものを用いても良い。また、画像編集を行うときには画像データの量が少ないサムネイルデータを用いて表示部２３ｂに表示し、編集された後の画像データを表示するときには出力画像を正確に確認するために画像データを用いるようにして表示部２３ｂに表示しても良い。
【００３１】
このように編集された画像データを表示部２３ｂに表示すると、ＣＰＵ１１は編集終了か否かを判断する（ＳＴ１１１）。例えば、タッチパネル２３ａに編集終了か否かを示すためのメッセージが表示され、そのメッセージに対するユーザの回答に基づいて判断される。ＣＰＵ１１は編集が完了でないと判断すると（ＳＴ１１１でＮＯ）、ＣＰＵ１１は編集画像の選択を再び受け付けるステップＳＴ１０７の処理を行う。
【００３２】
ＣＰＵ１１は、編集が完了であると判断すると（ＳＴ１１１でＹＥＳ）、ステップＳＴ１１２からＳＴ１１５により動作モードを判断する。この動作モードの判断は、ステップＳＴ１０２で受け付けた動作モードの設定に基づいて判断される。すなわち、前記設定がコピー動作をするモードであれば（ＳＴ１１２でＹＥＳ）、ＣＰＵ１１は編集された画像データに基づいてプリンタ１７を動作させて印刷処理を行う（ＳＴ１１６）。前記設定がファクシミリ送信を行うモードであれば（ＳＴ１１３でＹＥＳ）、ＣＰＵ１１は編集された画像データに基づいてファクシミリ送信処理を行う（ＳＴ１１７）。前記設定がインターネットファクシミリ送信を行うモードであれば（ＳＴ１１４でＹＥＳ）、ＣＰＵ１１は編集された画像データに基づいてインターネットファクシミリ送信処理を行う（ＳＴ１１８）。前記設定が電子メール送信を行うモードであれば（ＳＴ１１５でＹＥＳ）、ＣＰＵ１１は編集された画像データを添付し電子メールの送信処理を行う（ＳＴ１１９）。
【００３３】
このようにして設定を受け付けた動作モードに基づいて、編集された画像データの処理を行うと、ＣＰＵ１１は再び待機状態となる。すなわち、ＣＰＵ１１はコントロールパネル２３の表示部２３ｂに待機状態を示す表示を行う。
【００３４】
続いて、ステップＳＴ１０９の画像の編集処理について図７から図１３を用いて説明する。なお、これらの各図は、表示部２３ｂに表示される画像を概略的に示した図である。
【００３５】
図７及び図８を参照して、前記自動給紙装置にセットした３枚の原稿をコピーするときに、画像記憶部１４に記憶されている画像を呼び出し、画像の編集処理を行う場合について説明する。すなわち、画像の編集処理を、図３を参照して説明した画像データＤ１（今回の読取画像）及び図４を参照して説明した画像データＤ２（画像記憶部１４の一部に記憶されている蓄積画像）に基づいて行われる場合について説明する。なお、前記今回の読取画像と前記蓄積画像とに基づいて編集処理を行う場合で説明するが、編集する画像は共に予め記憶されている蓄積画像である場合でも勿論良い。
【００３６】
図７は、今回の読取画像を示す画像データＤ１１，Ｄ１２，Ｄ１３に蓄積画像を示す画像データＤ２１を挿入／追加する場合の編集処理を説明するための図である。ユーザのタッチパネル２３ａの操作による指示、すなわち、今回の読取画像の第１ページと第２ページの間に蓄積画像を挿入させる指示に基づいて、画像データＤ１１と画像データＤ１２の間に画像データＤ２１が挿入されている。すなわち、編集後の画像データとして、画像データＤ１１１，Ｄ１１２，Ｄ１１３，Ｄ１１４の４ページの画像データが作成されることが示されている。したがって表示部２３ｂには画像データＤ１１１，Ｄ１１２，Ｄ１１３，Ｄ１１４に基づく画像が表示される。なお、図７においては、蓄積画像を読取画像に挿入する場合を示しているが、蓄積画像を読取画像の最後に追加することも勿論できる。
【００３７】
図８は、今回の読取画像を示す画像データＤ１に蓄積画像を示す画像データＤ２１を上書きする場合の編集処理を説明するための図である。ユーザのタッチパネル２３ａの操作による指示、すなわち、今回の読取画像の第２ページに蓄積画像を上書きさせる指示に基づいて、画像データＤ１２に画像データＤ２１が上書きされている。すなわち、編集後の画像データとして、画像データＤ２１１，Ｄ２１２，Ｄ２１３の３ページの画像データが作成されることが示されている。したがって表示部２３ｂには画像データＤ２１１，Ｄ２１２，Ｄ２１３に基づく画像が表示される。
【００３８】
続いて、図９から図１３を参照して他の画像編集処理の例について説明する。
【００３９】
図９は、今回の読取画像を示す画像データＤ３１に蓄積画像を示す画像データＤ２１を合成する場合の編集処理を説明するための図である。ユーザのタッチパネル２３ａの操作による指示、すなわち、今回の読取画像に第２ページに蓄積画像を合成させる指示に基づいて、画像データＤ３１と画像データＤ２１が合成されている。このように画像の合成が行われることにより、編集後の画像データとして、画像データＤ３１と画像データＤ２１が合成された画像データＤ３１１が作成されることが示されている。したがって表示部２３ｂには画像データＤ３１１に基づく画像が表示される。
【００４０】
図１０は、蓄積画像を示す画像データＤ４１に、蓄積画像を示す画像データＤ２１の一部の画像である画像データＤ２１´を取り出し、その取り出した画像データＤ２１´を画像データＤ４１上のユーザにより指定された位置に上書きする場合の編集処理を説明するための図である。この編集処理は、ユーザのタッチパネル２３ａの操作による指示により行われる。その指示は、例えば先ず、画像記憶部１４に記憶されている画像データＤ２１を指定した後、画像データＤ４１を指定する。そして、ユーザは、タッチパネル２３ａを操作して画像データＤ２１から画像データの一部の画像データＤ２１´を取り出す。例えば、図１０に示すように画像の上半分を指定する。この指定により、そして、ユーザはタッチパネル２３ａを操作して、表示部２３ｂにそれぞれ表示された画像データＤ２１´及び画像データＤ４１に基づいて、取り出した画像データＤ２１´が示す画像を画像データＤ４１が示す画像に上書きする位置を調整する。前述のページの画像データから一部を取り出すための指定は、その画像を取り出す範囲の指定を上下左右方向に１ミリ単位で指定できる。そして、取り出した画像を上書きする場合もその位置調整は上下左右方向に１ミリ単位で行うことができる。そして、上書きの指示が行われることにより、画像の上書き処理がなされる。その上書きされた結果として、画像データＤ４１１が示す画像がされる。そして表示部２３ｂには画像データＤ４１１が示す画像が表示される。
【００４１】
図１１から図１３は、指定した蓄積画像の編集処理を行う場合を説明する。図１１は蓄積画像の回転処理を説明するための図である。ユーザのタッチパネル２３ａの操作による指示に基づいて、画像データＤ２１が９０度回転された画像データＤ２１ａが作成される。図１２は蓄積画像の白黒反転処理を説明するための図である。ユーザのタッチパネル２３ａの操作による指示に基づいて、画像データＤ２１が白黒反転処理された画像データＤ２１ｂが作成される。図１３は蓄積画像の鏡像処理を説明するための図である。ユーザのタッチパネル２３ａの操作による指示に基づいて、画像データＤ５１が鏡像処理された画像データＤ５１ａが作成される。図１１から図１３に示すように、蓄積画像が編集された後、上述した合成、上書き、一部取り出し等の画像の編集処理を行うことも可能である。
【００４２】
なお、図示を省略しているが、画像を編集する処理は、指定した画像の濃度調整を行う処理でも良い。また、一方の画像を他方の画像に透過する処理でも良い。
【００４３】
この実施の形態によると、画像の編集処理を行ってその編集した画像の印刷処理、ファクシミリ送信処理、インターネットファクシミリ送信処理、電子メール送信処理等の出力を行う前に、ユーザは編集した画像を表示部２３ｂで視認することができる。このように編集した画像を出力する前にユーザが視認することにより、ユーザの思い通りの画像の編集が行われているかを確認することができる。このため、編集が失敗している場合に、その画像に基づいて出力が行われることがない。これにより、編集した画像の印刷を行う場合には紙の無駄を省くことができる。また、編集した画像の送信を行う場合には編集の失敗した画像が送信されることがなくなり、送信先の相手に迷惑をかけることを防止することができる。
【００４４】
なお、本発明は、上述した実施の形態そのままに限定されるものではなく、実施段階ではその要旨を逸脱しない範囲で構成要素を変形して具体化できるものである。
【図面の簡単な説明】
【００４５】
【図１】本発明の実施の形態におけるネットワーク構成を概略的に示す図。
【図２】同実施の形態におけるＭＦＰの要部構成を示すブロック図。
【図３】同実施の形態における第１の画像データの一例を示す図。
【図４】同実施の形態における第２の画像データの一例を示す図。
【図５】同実施の形態における画像を編集する処理の要部の前半を示すフローチャート。
【図６】同実施の形態における画像を編集する処理の要部の後半を示すフローチャート。
【図７】同実施の形態における画像を挿入／追加する場合の編集処理を説明するための図。
【図８】同実施の形態における画像を上書きする場合の編集処理を説明するための図。
【図９】同実施の形態における像を合成する場合の編集処理を説明するための図。
【図１０】同実施の形態における画像の一部を取り出し、その取り出した画像の一部をユーザにより指定された位置に他の画像データに上書きする場合の編集処理を説明するための図。
【図１１】同実施の形態における蓄積画像の回転処理を説明するための図。
【図１２】同実施の形態における蓄積画像の白黒反転処理を説明するための図。
【図１３】同実施の形態における蓄積画像の鏡像処理を説明するための図。
【符号の説明】
【００４６】
１…ＭＦＰ，２…ネットワーク，１１…ＣＰＵ，１２…ＲＯＭ，１３…ＲＡＭ，１４…画像記憶部，コントロールパネル２３，タッチパネル２３ａ，表示部２３ｂ
【図１】
2007037095.tif 000003
【図２】
2007037095.tif 000004
【図３】
2007037095.tif 000005
【図４】
2007037095.tif 000006
【図５】
2007037095.tif 000007
【図６】
2007037095.tif 000008
【図７】
2007037095.tif 000009
【図８】
2007037095.tif 000010
【図９】
2007037095.tif 000011
【図１０】
2007037095.tif 000012
【図１１】
2007037095.tif 000013
【図１２】
2007037095.tif 000014
【図１３】
2007037095.tif 000015